(57)【要約】【課題】不法侵入者が面格子の固定を無理やり取外すと、警報機器の防犯操作が実行され、侵入を未然に防止しうる防犯装置を提供すること。【解決手段】縦格子や多数の空所を有する装飾板を具えた面格子を、建築物の開口部の屋外側で、該開口部に向合って固定して構成する防犯装置において、面格子に取付ける磁性体と、磁性体に向き合う位置で開口部材又は外壁に取付ける磁気センサーと、該磁気センサーに接続された警報機器とからなり、磁気変化に基づき磁気センサーが発生する電気信号を受けて、警報装置が防犯操作を実行し、更には数の磁性体及び磁気センサーを、面格子の左右又は／及び上下に分散して配置する。【選択図】  図１
2004171134.tif 000002
【特許請求の範囲】
【請求項１】
縦格子や多数の空所を有する装飾板を具えた面格子を、建築物の開口部の屋外側で、該開口部に向合って固定して構成する防犯装置において、面格子に取付ける磁性体と、磁性体に向き合う位置で開口部材又は外壁に取付ける磁気センサーと、該磁気センサーに接続された警報機器とからなり、磁気変化に基づき磁気センサーが発生する電気信号を受けて、警報装置が防犯操作を実行することを特徴とする防犯装置。
【請求項２】
複数の磁性体及び磁気センサーを、面格子の左右又は／及び上下に分散して配置することを特徴とする請求項１記載の防犯装置。
【発明の詳細な説明】
【０００１】
【発明の属する技術分野】
本発明は、建築物の開口部の屋外側に不法侵入者の侵入を阻止の目的で設ける面格子の防犯機能を一層高めることのできる防犯装置に関する。
【０００２】
【従来の技術】
近年、建築物の外壁に設けられた窓等開口部に使用される建具の多くは、採光が有効に行え外観に優れることからガラス戸が採用されている。そして、開口部材にアルミサッシが普及しその水密性が高まったことに加え建物の外観を保つためにも、ガラス戸の外側に雨戸を装備しない建築物が増加している。また洗面、浴室、トイレ等に設ける所謂小窓には雨戸を装備しないことが常である。このように雨戸を装備しないガラス戸にあっては、外部から簡単にガラスを割って、不法侵入者の侵入を許すという問題があった。
【０００３】
このような問題を解決するために、網入りの防犯ガラスを採用することが考えられる。しかし、網入りガラスはリビングの窓等開口部の位置によって外観上の問題から採用が困難な場合がある。
【０００４】
他方、縦格子や多数の空所を有する装飾板を具えた面格子を、建築物の開口部の屋外側で、該開口部に向合って固定して構成する所謂面格子防犯装置が考案され、様々のデザインのものが販売されている。
【０００５】
【発明が解決しようとする課題】
しかしながら、これら面格子は、ブラケット等を介して開口部周囲の外壁面や、アルミサッシに対してビスで取付ける構造を採用しているため、外部からドライバー等工具でビス固定を取外し、不法侵入者の侵入を容易に許してしまうという課題がある。更にこれを防止するため、締付け方向にしか回転しない構造の所謂ワンウェイビスと呼ばれる特殊なビスも考案され使用されている。しかしこれを採用した場合でも、バール等の工具を使用するとビスの螺合部分自体を破壊してその固定が外さることがある。そのため、特に就寝時、外出時には開口部の建具を常に閉止して施錠することとなり、開口部からの有効な自然換気が得られず、必要換気量の確保のため、外壁面や天井に配管を施した換気装置を別途装備して常時これを作動させる必要が生じる。更に夏期において、夜間など外部の冷気を取り込んでの室温の調節を図ることができないためエアコンの常時運転が必要となり、コスト負担が増加し、省エネルギー上も好ましくない。
【０００６】
本発明は、以上のような問題点に鑑み案出なされたもので、不法侵入者が面格子の固定を無理やり取外すと、警報機器の防犯操作が実行され、侵入を未然に防止しうる防犯装置を提供することを目的としている。
【０００７】
【課題を解決するための手段】
本発明のうち請求項１記載の発明は、縦格子や多数の空所を有する装飾板を具えた面格子を、建築物の開口部の屋外側で、該開口部に向合って固定して構成する防犯装置において、面格子に取付ける磁性体と、磁性体に向き合う位置で開口部材又は外壁に取付ける磁気センサーと、該磁気センサーに接続された警報機器とからなり、磁気変化に基づき磁気センサーが発生する電気信号を受けて、警報装置が防犯操作を実行することを特徴としている。
【０００８】
また請求項２記載の発明は、複数の磁性体及び磁気センサーを、面格子の左右又は／及び上下に分散して配置することを特徴としている。
【０００９】
【発明の実施の形態】
以下本発明の実施の一形態を図面に基づき説明する。
本発明の防犯装置は、図１に示すように、面格子２に取付ける磁性体３と、磁性体３に向き合う位置で開口部材４に取付ける磁気センサー６と、該磁気センサー６に接続された警報機器７とからなる。
【００１０】
面格子２は、外壁Ｗの開口部Ｋからの不法侵入を防ぎ安全を確保するために該開口部Ｋの屋外側に取付けられるものであり、矩形枠体に多数の縦格子１を等間隔に取付けて構成されたものが多用されており、この他幾何学模様や植物の外形を呈した多数の空所を有する装飾板により構成されるものもある。
【００１１】
前記外壁Ｗは、本実施形態では、図１に示すように、図示しない周囲枠材の両面に外装材Ｗ１、三層構成の内装材Ｗ２を貼設した建築用パネルを用いて形成され、その外壁Ｗの開口部Ｋは、矩形配置の窓枠材Ｋ１・・・の内周縁に揃えて前記外装材Ｗ１、内装材Ｗ２を切り欠くことにより形成される壁開口１０に、アルミサッシ１１からなる開口部材４を取付けることにより形成されている。
【００１２】
壁開口１０は屋外側に内周縁に沿う断面Ｌ字の欠切部１３を有し、前記アルミサッシ１１の上部材１１Ｕは、この欠切部１３の奥面で外壁Ｗの窓枠材Ｋ１にビス１４で固着される。欠切部１３には、ビス１４の貫挿孔を被覆するため、コーキング剤２７を充填する。また下部材１１Ｌも同様に外壁Ｗに固定される。そしてアルミサッシ１１の上部材１１Ｕの下面に垂下する支持片１１Ｕ１と、これに向合い下部材１１Ｌの上面に立上がるレール片１１Ｌ１が、ガラス戸等の建具１２の上下を各々スライド開閉自在に支持する。
【００１３】
本実施形態の面格子２は、図２に示すように、左右の横枠材２Ｓ、２Ｓで連結した上下枠材２Ｕ、２Ｌ間に、多数のアングル状の縦格子１を等間隔で取付て構成する。各縦格子１は、図１に示すように、そのフランジ１ａの上下端を、上下枠材２Ｕ、２Ｌの内側に向合って形成された上下取付リブ２７、２８に貫挿したリベット１６で固定する。本実施形態では、面格子２の構成部材にアルミの成形品を使用しているが、鉄、木材、プラスチック等を使用することもできる。或いはこれらの材料を組合わせ、例えば鉄製の矩形枠にプラスチック製の縦格子１を取付けて構成することもできる。
【００１４】
上枠材２Ｕの後端で垂下する係止片１７を、アルミサッシ１１の上部材１１Ｕの外側に設けた受溝１８に係合し、他方下枠材２Ｌの後端で上下に延びる取付片１９の上下端を、下部材１１Ｌの外側に設けたリップ溝２０の上下のリップ２０Ｕ、２０Ｌに各々係合すると共にビス２１により取付片１９をアルミサッシ１１の下部材１１Ｌに固定して、面格子２を外壁Ｗの開口部Ｋの外側に装着する。
【００１５】
前記磁性体３は、面格子２の上枠材２Ｕの外壁Ｗ側の下面に取付けられる。本実施形態では、磁性体３は鉄製の薄板から構成され、小ビス（図示せず）を用いて取付けられているが、裏面に粘着剤を貼付した磁気テープを用いて構成しても良い。又磁性体３は例えば、長さ３〜１５ｃｍで幅１〜３ｃｍの大きさに形成されている。
【００１６】
他方、前記磁気センサー６は、図１に示すごとく、前記アルミサッシ１１の上部材１１Ｕの外側に設けた受溝１８のフランジを下に延長した取付片２２上で、好ましくは前記磁性体３と向き合う位置にビス止め、接着等により取り付けられる。この磁気センサー６は、面格子２が不法侵入者により取外される際に、磁性体３との間隔が変化することに起因する該磁性体３から届く磁気エネルギーの変化を検知し、その磁気変化を電気信号に変換する。なお、磁気センサー６は、出力電圧が磁気エネルギーの時間的変化量に比例する電磁誘導型、静磁界での検出も可能な磁電変換型等の種類があるがいずれも利用できる。
【００１７】
前記警報機器７は、前記磁気センサー６の電気信号を受けて防犯操作を行なうものであって、本実施形態では、図１に示すように、開口部Ｋの上位の外壁Ｗの前記内装材Ｗ２に嵌合固定され、磁気センサー６から受けた電気信号を無線信号に変換し、図示しない中央制御装置に向けて発信する。但し、警報機器７はこの態様には限定されず、直接警備会社へ直接無線通報するもの、ブザー、ベル等の警報音を発するもの、パトライト等の警告灯、或いはこれら機能を複合したもの等使用条件に応じ種々の機能の警報機器７を採用しうる。なお本例において、異常発生を知らせる無線信号を受信した中央制御装置を経て、有線、無線の電話回線を介して警備会社へ通報される。中央制御装置は、前記ガラス戸の他、家屋などの建築物の玄関ドア、勝手口、テラスへの出入り口ガラス戸等に各々設置された全ての防犯装置から複数の無線信号を受信し、かつ発信するなど、建築物全体としての防犯機能を集中的に制御するシステムを構成する。
【００１８】
尚、磁気センサー６から警報機器７に至る電気信号は、アルミサッシ１１の上部材１１Ｕ及び窓枠材Ｋ１の配線孔（図示せず）に貫挿した導線２３を経て伝達される。
【００１９】
本実施形態では、図２に示すように、屋外から見て向かって左上部と右下部の２箇所において各々、面格子２に取付けられた磁性体３と、該磁性体３に向き合う位置で開口部材４に取付けられた磁気センサー６を具えているため、左右或いは上下何れの側においても面格子２の一方側が取外されると、即座に警報装置が防犯操作を実行し、更に高い防犯性を付与できる点で好ましい。これに加え、右上部、左下部にも各々磁性体３と磁気センサー６を装備すると、警報装置の作動精度が更に高まる。
【００２０】
前記の如く、本実施形態では、磁気センサー６を開口部材４（アルミサッシ１１）に取付けているが、外壁Ｗの外装材Ｗ１表面で磁性体３に向合い外部から目立たない位置に磁気センサー６を取付けることも可能であり、この形態も本発明の権利範囲に含まれる。
【００２１】
本実施形態では、外壁Ｗの開口部Ｋ上部で内装材Ｗ２の内周縁に沿い化粧釘、ビス、接着剤などの固着具２３によって固定される基部２４Ａと、その下端で屋外側に折れ曲がりアルミサッシ１１の上部材１１Ｕの屋内側に水平に延びるフランジ２５に支持される折曲げ片２４Ｂとからなる上飾縁２４、及び開口部Ｋ下部で内装材Ｗ２に固定される基部２６Ａと、その上端で屋外側に折れ曲がりアルミサッシ１１の下部材１１Ｌの屋内側に向けて開口する溝２７に嵌着される折曲げ片２６Ｂとからなる下飾縁２６を設けることにより、開口部Ｋのデザイン性の向上を図り同時に壁クロス等表面仕材の端部仕上げを容易としている。
【００２２】
【発明の効果】
以上説明したように本発明は、面格子に取付ける磁性体と、磁性体に向き合う位置で開口部材又は外壁に取付ける磁気センサーと、該磁気センサーに接続された警報機器とを具え、磁気変化に基づき磁気センサーが発生する電気信号を受けて、警報装置が防犯操作を実行するため、警報機器の防犯操作が実行され、侵入を未然に防止しうる。
【００２３】
したがって、開口部の建具を空けた状態で就寝、外出することもできるため、室内の換気、冷気を取り込んでの室温の調節など自然換気を可能とし、快適で省エネルギー上好ましい開口部の使用を可能とする。
【図面の簡単な説明】
【図１】本発明の防犯装置の一実施の形態を示す断面図である。
【図２】その正面図である。
【符号の説明】
Ｋ  開口部
Ｗ  外壁
１  縦格子
２  面格子
３  磁性体
４  開口部材
６  磁気センサ
７  警報装置
【図１】
2004171134.tif 000003
【図２】
2004171134.tif 000004